(57)【要約】      （修正有）【課題】踵落とし運動を自動的に行う健康装置を提供する。【解決手段】基台１１上の一側縁部（支点側）に可動板１２を回動自在に取り付け、この支点側と対向する可動板１２の他方側縁部が上下に往復動する。可動板１２の他方側縁部の下方の基台上に偏心カム１５を配置する。この偏心カム１５の回転軸は基台上の電動モータの回転軸に連結する。この偏心カム１５の最長半径部の片側に切欠を設ける。この偏心カム１５の回転により可動板１２のカム側は、最下位の位置から最上位の位置まで上昇し、その後最上位の位置から最下位の位置まで落下して、基台１１の当接部１５ｔと当接し、その後これらの動作を繰り返す。可動板１２の上には踵載せ板１４をその支点側からカム側の間で移動可能に取り付け、使用者は踵載せ板１４の上に両足の踵を載せ、電動モータの回転により使用者の踵が上に持ち上げられ、その後下方に落下して使用者の踵に繰り返し衝撃を与える。【選択図】図１
2020010946.tif 000002
【特許請求の範囲】
【請求項１】
基台上の一側縁部に可動板の一側縁部を回動自在に取り付けて前記一側縁部を支点側とし、前記可動板の支点側と対向する他方側縁部が上下に往復動することができ、
前記可動板の前記他方側縁部の下方の基台上には偏心カムを配置し、
この偏心カムの回転軸は基台上の電動モータの回転軸に連結され、且つ、この偏心カムの最長半径部の片側に切欠を設けて、この偏心カムの回転により前記可動板のカム側は、最下位の位置から最上位の位置まで上昇し、その後最上位の位置から最下位の位置まで落下して、最下位の位置で基台の当接部と当接し、その後これらの動作を繰り返し、
更に、前記可動板の上には踵載せ板を前記可動板の前記支点側から前記カム側の間で移動可能に取り付け、
使用者は前記踵載せ板の上に両足の踵を載せて、前記電動モータの回転により使用者の踵が上に持ち上げられ、その後下方に落下し、前記基台の当接部と当接して使用者の踵に衝撃を与えることを繰り返し行うことができる踵落とし機。
【請求項２】
前記偏心カムと接触する接触子を可動板の下面に設け、この接触子が回転ローラーから成ることを特徴とする請求項１に記載の踵落とし機。
【請求項３】
前記当接部にクッション部材を設けたことを特徴とする請求項１又は２に記載の踵落とし機。
【請求項４】
前記基台の前記支点側と前記カム側との間の両側に使用者が両手で把持できる手摺を設けたことを特徴とする請求項１乃至３の何れか１項に記載の踵落とし機。
【請求項５】
前記踵載せ板の踵を載せる部位に窪みとクッションシートを設けたことを特徴とする請求項１乃至４の何れか１項に記載の踵落とし機。
【発明の詳細な説明】
【技術分野】
【０００１】
本発明は、健康器具又は健康装置に関するものであって、いわゆる踵落とし運動を自動的に実現できる踵落とし機に関するものである。
【背景技術】
【０００２】
踵落とし運動というのは、良く知られているように、人が床面等に直立した状態で、つま先立ちを行い、この踵を上に上げた状態からストンと下方に踵を床面に落とす動作をいうが、この踵を床面等に落とした際の衝撃を利用して健康増進を図る運動である。
この踵落とし運動を行うことにより、ダイエット効果や血糖値やコレステロール値を下げる効果が発見されている。
また、この踵落とし運動は、骨部に衝撃を与えることにより血中の骨ホルモンを増加させ、骨密度を高め、骨粗鬆症等の防止にも効果があることが知られている。
【０００３】
下記特許文献に記載の健康器具は、上記踵落としの効果を狙ったものではないが、足部に所定の動作を与え、健康増進を図るものである。
下記特許文献１に記載の「足の健康器具」にあっては、使用者が意識しなくても足の運動を容易に長時間でも行うことができ、足の血行が促進され、運動不足やむくみ等を容易に解消することができるものである。
【０００４】
その構成は、床に設置される基台部と、前記基台部の端部に設けられた軸部と、前記軸部に一端が枢着され、上面に足を載置可能な足載せ部が設けられた支持部と、前記支持部の下面に接触されると共に、前記軸部を支点にして、前記支持部を上下に振幅するように形成された回転ローラーとからなるものである。この回転ローラーの回転に応じて、前記支持部が連続して上下方向に振幅される構成である。
【０００５】
下記特許文献２に記載の「歩行模擬刺激型健康増進機」にあっては、居ながらにして実際の歩行により与えられるのと同様の圧縮刺激を仙骨に与えることにより健康の増進を図る健康増進機である。
【０００６】
その構成は、一対の足載せ台をその少なくとも踵支持部が上下に変位可能なように支持し、足載せ台の少なくとも踵支持部を周期的に上方へ滑らかに押し上げた後急速に降下させ、降下の開始位置より下方に隔たった位置にて踵支持部の降下を瞬間的に停止させる手段を有し、踵からの脚の支持力と落下する上体の慣性力との間に仙骨を圧縮して刺激するものである。
【先行技術文献】
【特許文献】
【０００７】
【特許文献１】特開２０１１−１９４０５１号公報
【特許文献２】特開２００３−３３９８００号公報
【発明の概要】
【発明が解決しようとする課題】
【０００８】
上記特許文献１に係る足の健康器具は、例えば椅子に座った状態においても使用することが可能なもので、基本的には足首を支点としてつま先側の上下運動を行うものである。
他方、上記特許文献２に係る「歩行模擬刺激型健康増進機」は、その名称にもある通り、装置の上に両足を載せたままの状態で歩行運動を自動的に実現させるものである。  
【０００９】
本発明においては、上記のような単なる足首の運動や歩行動作の実現を目的とするものでなく、既に述べた踵落とし動作を自動的に実現するための踵落とし機を提供することをその課題としている。
とりわけ、お年寄りの場合には、体重等の関係もあるが、つま先立ちをすることが困難な高齢者も居り、このような高齢者であっても踵落とし運動を自動的に実現できる装置を提供することにある。
【００１０】
また、上記従来の歩行模擬刺激型健康増進装置にあっても、踵を下方に落とす動作も含まれているが、これはあくまでも歩行動作の一部であって、上記踵落とし効果を実現できるものではない。
換言すれば、この歩行動作にあっては、一方の足の踵の上下運動の際に他方の足によって身体が支持されており、踵落とし運動とは異なる歩行動作に他ならないものである。
【００１１】
そこで、本発明においては、純粋な踵落とし運動を実現できる自動機械を提供することがその課題であるが、更に、この踵落とし効果を利用者の要望に合致させてその強度を調整できる手段をも付加し、偏心カムの構造等々により使い勝手が良く、効果の高い踵落とし機を提供することをその課題としている。
【課題を解決するための手段】
【００１２】
上記課題を解決するために、本発明の第１のものは、基台上の一側縁部に可動板の一側縁部を回動自在に取り付けて前記一側縁部を支点側とし、前記可動板の支点側と対向する他方側縁部が上下に往復動することができ、前記可動板の前記他方側縁部の下方の基台上には偏心カムを配置し、この偏心カムの回転軸は基台上の電動モータの回転軸に連結され、且つ、この偏心カムの最長半径部の片側に切欠を設けて、この偏心カムの回転により前記可動板のカム側は、最下位の位置から最上位の位置まで上昇し、その後最上位の位置から最下位の位置まで落下して、最下位の位置で基台の当接部と当接し、その後これらの動作を繰り返し、更に、前記可動板の上には踵載せ板を前記可動板の前記支点側から前記カム側の間で移動可能に取り付け、使用者は前記踵載せ板の上に両足の踵を載せて、前記電動モータの回転により使用者の踵が上に持ち上げられ、その後下方に落下し、前記基台の当接部と当接して使用者の踵に衝撃を与えることを繰り返し行うことができる踵落とし機である。
【００１３】
本発明の第２のものは、上記第１の発明において、前記偏心カムと接触する接触子を可動板の下面に設け、この接触子が回転ローラーから成ることを特徴とする踵落とし機である。
【００１４】
本発明の第３のものは、上記第１又は第２の発明において、前記当接部にクッション部材を設けたことを特徴とする踵落とし機である。
【００１５】
本発明の第４のものは、上記第１乃至第３の何れかの発明において、前記基台の前記支点側と前記カム側との間の両側に使用者が両手で把持できる手摺を設けたことを特徴とする踵落とし機である。
【００１６】
本発明の第５のものは、上記それぞれの発明において、前記踵載せ板の踵を載せる部位に窪みとクッションシートを設けたことを特徴とする踵落とし機である。
【発明の効果】
【００１７】
本発明の第１のものにおいては、基台上の一側縁部に可動板の一側縁部を回動自在に取り付けて前記一側縁部を支点側とし、前記可動板の支点側と対向する他方側縁部が上下に往復動することができ、前記可動板の前記他方側縁部の下方の基台上には偏心カムを配置し、この偏心カムの回転軸は基台上の電動モータの回転軸に連結され、且つ、この偏心カムの最長半径部の片側に切欠を設けて、この偏心カムの回転により前記可動板のカム側は、最下位の位置から最上位の位置まで上昇し、その後最上位の位置から最下位の位置まで落下して、最下位の位置で基台の当接部と当接し、その後これらの動作を繰り返すことができるために、使用者は前記踵載せ板の上に両足の踵を載せて、前記電動モータの回転により使用者の踵が上に持ち上げられ、その後下方に落下し、前記基台の当接部と当接して使用者の踵に衝撃を与えることを繰り返し行うことができる。
【００１８】
これにより踵落とし運動が自動的に行われ、ダイエット効果、血糖値やコレステロール値の低下、骨粗鬆症等の防止に寄与することができる。
また、とりわけ高齢者にあっては、自身で踵落とし運動を行うことが困難な場合であっても、本発明に係る踵落とし機の踵載せ板の上に両足の踵を載せて簡単に踵落とし運動を行うことができることとなる。
【００１９】
更に、本発明にあっては、前記踵載せ板が前記可動板の前記支点側から前記カム側の間で移動することができ、前記可動板上の踵載せ板の位置を適宜所望位置に設定することもできるために、その位置によって踵載せ板の上昇高さを適宜選択して設定することができ、踵に与える衝撃を大小微調整することができることとなる。
【００２０】
即ち、踵載せ板をカム側に一番近づけて配置することにより、当該踵載せ板は一番高く上昇するために踵に与える衝撃は一番大きくなり、その反対に踵載せ板を支点側に配置すれば、その衝撃は一番小さくなる。この位置を適宜選択することによって踵に与えることのできる衝撃を適宜調整することができるのである。
この効果は、とりわけ高齢者にとっては有効なものとなる。
【００２１】
上記の通り本発明においては多くの効果を発揮するが、この踵落とし機にあっては、可動板の上に踵載せ板を設置してこの踵載せ板の上に両足の踵を載せて運動を行うのであるが、そのつま先の向きはカム側であってもよく、また支点側であってもよい。
即ち、身体の向き（顔の向き）は、カム側或いは支点側の何れの側でもよく、使用者の側で自由に選択して使用することができるものである。
これにより踵の位置も決定され、その上昇高さも適宜必要に応じて選択することができる。
【００２２】
本発明の第２のものにおいては、上記第１の発明において、前記偏心カムと接触する接触子を可動板の下面に設け、この接触子を回転ローラーから形成したものである。
これにより前記偏心カムの回転が極めてスムースに行われることとなるのである。
【００２３】
本発明の第３のものにおいては、上記発明において、更に前記当接部にクッション部材を設けたことを特徴とするものであり、これにより可動板が下方に落下して当接部に当接した際の衝撃を多少緩和させる効果を発揮するものである。
【００２４】
本発明の第４のものにおいては、上記発明において更に前記基台の前記支点側と前記カム側との間の両側に使用者が両手で把持できる手摺を付加したものであり、これにより両手で手摺を把持して踵落とし運動を行うことができ、身体の上下運動を両脇の手摺で支えて身体の安定を図ることができる。とりわけ高齢者にとっては便利なものとなる。
【００２５】
本発明の第５のものにおいては、上記発明において、前記踵載せ板の踵を載せる部位に窪みとクッションシートを設けたことにより、踵の位置を明確とし、踵を載せる部位の感触を向上させたものである。
【図面の簡単な説明】
【００２６】
【図１】本発明の踵落とし機に関する要部概念説明図である。
【図２】本発明の踵落とし機に係る一実施形態を図示する斜視図である。
【発明を実施するための形態】
【００２７】
以下、添付の図面と共に本発明の実施形態について説明する。
図１は、本発明の踵落とし機に関する要部概念説明図である。
図２は、同じく本発明の踵落とし機に係る一実施形態を図示する斜視図である。
【００２８】
本発明に係る踵落とし機１０は、平面視略矩形形状の基台１１と、この基台１１の一側縁部に回動自在に取り付けられた可動板１２と、この可動板１２と上記基台１１とが回動自在に取り付けられた支点側Ｓと対向する他方側縁部の下方の基台１１上に設けられた偏心カム１５と、この偏心カム１５を回転させる電動モータ２０とから成る。
【００２９】
上記可動板１２は、この実施形態においては、平面視略矩形形状の平板部１２ｈと、この平板部１２ｈの上記偏心カム側（以下、「カム側」という。）の側縁部に起立して設けられた起立部１２ｋと、この起立部１２ｋの略中央部からカム側に略水平方向に延長するカム上延長部１２ｃとからなる。
【００３０】
カム上延長部１２ｃの下方に、偏心カム１５が基台１１上の一対の軸受部１５ｊ、１５ｊに回転自在に設けられ、配置される。
この偏心カム１５は、図１から解る通り、その最長半径部の右半分が切り欠かれている。
この偏心カム１５の回転軸は電動モータ２０の回転軸に連結している。ここで使用している電動モータ２０は、大きいトルクを発揮できるギヤーモータを使用している。
【００３１】
上記偏心カム１５が接触する可動板１２のカム上延長部１２ｃの下面には接触子１６が設けられ、この実施形態では回転ローラーから形成されている。
これにより、電動モータ２０によって回転される偏心カム１５の回転が円滑に行われることとなる。
【００３２】
上記可動板１２の上面両側にはレール１３、１３が設けられている。
これらのレール１３、１３上を支点側Ｓとカム側との間で移動できる踵載せ板１４が設けられている。
【００３３】
この踵載せ板１４は、板状のもので、上記の通りレール１３、１３に架け渡され、カム側と支点側Ｓとの間で自由に往復移動させることができ、その上面には２つの凹所１４ｈ、１４ｈを設け、この凹所１４ｈ、１４ｈに使用者の両足の踵部を載せることができる。この凹所１４ｈ、１４ｈの表面にはクッションシートを設けることも自由である。
このクッションシートとしては、適宜厚みのウール生地やビロード生地、或いはウレタンシート等を挙げることができる。
【００３４】
上記レール１３、１３は、アルミ製であって、踵載せ板１４の両側の側縁部には横断面Ｌ字形状のＬ型金具１４ｋを設けて、相互にスライド可能に設けており、その位置固定には螺子を用いている。
【００３５】
このように踵載せ板１４を設けたことにより、使用者はその踵部を上記踵載せ板１４の凹所１４ｈに載ることとなり、使用者のつま先部は可動板１２の平板部１２ｈから浮いた状態となる。
つま先が浮いた状態となることから、踵に及ぼす衝撃が良好となり、この踵落とし効果は極めて良好なものとなる。
更に、基台１１にはその両側に４本の支柱２２を設け、その上端部に手摺部２５を設けた。
これらの支柱２２及び手摺２５は金属製管体を使用している。
【００３６】
この手摺部２５は、図２の通り基台１１の両側とカム側の３方に設けているが、両側のみであってもよい。この手摺部２５の存在は、使用者が高齢者の場合に特に有効となる。
また、使用者は、踵載せ板１４上に両足の踵部を載置するにあたり、身体の顔の向きをカム側に向けることも、或いは、支点側Ｓの方向に向けるのも自由である。
【００３７】
何故なら、踵載せ板１４の位置は、可動板１２の平板部１２ｈの支点側Ｓからカム側までの間の所望位置に配置することができ、その位置により踵載せ板１４の上下動の振幅が大小異なることとなり、使用者は所望の振幅高さを選択することができることとなるからである。
【００３８】
ここで、本発明に係る踵落とし機１０の動きの特徴について説明すると、その動作は偏心カム１５の形状に基づいている。
即ち、上記した通り、偏心カム１５はその最長半径部の右半分が切り欠かれた切欠を有するものであり、この偏心カム１５が電動モータ２０の回転軸の回転により図１において左回転することとなり、それにより可動板１２のカム上延長部１２ｃが徐々に上昇し、偏心カム１５の最長半径部が最上端に位置した後にその切欠の存在により一気に下方に落下し、上記カム上延長部１２ｃが軸受部１５ｊの上端部である当接部１５ｔ（図１参照）に衝突し、使用者の両足の踵に衝撃を与えることとなるからである。
【００３９】
これにより使用者は踵落とし運動の１回を経験する。
その後の偏心カム１５の連続回転により、踵落とし運動が繰り返されるのである。
【００４０】
手摺２５の一方にはスイッチ部３０が設けられており、電源のオン・オフを行うことができる。
また、タイマー等を内蔵して、１分単位で作動時間を設定して所望の時間連続して作動させることもできる。
更には、衝撃回数のカウンターを設けて、実際に踵落とし運動の運動回数を表示及び記録できるようにすることもできる。
尚、この図２においては、電源コード及びプラグの図示は省略している。
【００４１】
次に、本発明に係る踵落とし機の使用方法についてまとめてみると以下の通りとなる。
電源コードの先端プラグを電源コンセントに接続する。
踵載せ板１４の位置を選択して決定し、螺子でレール１３、１３に固定する。
一番大きな衝撃を得たい場合には、この踵載せ板１４をカム側に一番近づけた位置とし、身体を支点側に向けて前記踵載せ板１４の凹所１４ｈに両足の踵部を載せる。
【００４２】
一番小さな衝撃でよい場合には、この踵載せ板１４を支点側に近づけた位置とし、身体をカム側に向けて前記踵載せ板１４の凹所１４ｈに両足の踵部を載せる。
このように、本発明に係る踵落とし機１０の場合には、その踵載せ板１４の位置により身体の顔の向きを支点側又はカム側の何れの側にも向けて使用することができるのが一つの特徴となっている。
【００４３】
この状態で、スイッチ部３０のスイッチを入れることにより、或いは、所定時間のタイマーをセットしてスイッチを入れることにより踵落とし運動を行うことができる。
所望分経過した後に、スイッチを切ることにより上記踵落とし運動は終了となる。
この踵落とし機１０の作動中、使用者は手摺部２５を把持して運動を行うことができるので、安全である。
【００４４】
以上、本発明の実施形態について説明したが、本発明においては以下の通り種々設計変更することができる。
基台及び可動板の平面視形状は自由に設計することができる。
要は、可動板の一側縁部（支点側）が基台と回動自在に取り付けられていればよい。
【００４５】
この回動自在の取り付け方法としては、各種考えられるが、支軸によって軸着することもできるし、蝶番によって枢着してもよく、自由に設計することができる。
上記基台及び可動板は木材を利用しているが、その材質は自由であり、前記可動板の形態も単なる１枚の板材から形成することもできる。
【００４６】
上記実施形態では、そのカム側に起立部とカム上延長部を設けたが、可動板の高さを出来る限り低くして、利用しやすくしたためである。
可動板の平板部に設けたレールも、平板部の両側に設けているが、必ずしもその両側縁部に設けずに実施することもできる。
要は、踵載せ板がカム側と支点側との間で移動可能であればよいのである。
【００４７】
偏心カムの最長半径部の長さも適宜必要に応じて設定することができる。
但し、この最長半径部の片側に切欠を設けることが必須である。カム上延長部が下方に落下して基台の軸受部の上端縁である当接部と衝突することが必須となるからである。
【００４８】
この軸受部の上端部の当接部の上面に適宜硬さのクッション部材を介在させることも自由であり、このクッション部材を設けることは極めて望ましいことである。このクッション部材の材質は例えばウレタンゴム等、適宜自由に選択することができる。
【００４９】
以上、本発明は、これまでに存在していなかった踵落とし運動を実現する自動機械を提供することができ、高齢者であっても簡単に使用することができ、しかも、その踵落とし運動の衝撃度の強さも調整できる極めて便利な健康装置である踵落とし機を提供することができたものである。
【符号の説明】
【００５０】
１０  踵落とし機
１１  基台
１２  可動板
１２ｈ  平板部
１２ｋ  起立部
１２ｃ  カム上延長部
１３  レール
１４  踵載せ板
１４ｈ  凹所
１５  偏心カム
１５ｊ  軸受部
１５ｔ  当接部
１６  接触子
２０  電動モータ
２２  支柱
２５  手摺
３０  スイッチ部
Ｓ  支点側
【図１】
2020010946.tif 000003
【図２】
2020010946.tif 000004